(57)【要約】  【課題】本考案は、セパレータが連結具に取り付けやすく、作業性の向上を図ることができるセパレータの取付構造及び型枠工事用の連結具を提供する。  【解決手段】連結具１に、一対の壁部（第１壁部１ａ，第２壁部１ｂ）を平行に配設し、第１壁部１ａ及び第２壁部１ｂにはそれぞれ切欠き状の溝部１ｃ，１ｄを形成する。セパレータには、その外周面に形成されている雄ねじ２ａに対して螺合可能なねじ穴３ａを有する係止部材３を取り付ける。そして、係止部材３が第１壁部１ａと第２壁部１ｂ壁部との間に位置するようにセパレータ２を各溝部１ｃ，１ｄに嵌め込む。それから、係止部材３を第１壁部１ａに係止させるとともに、第２壁部１ｂの溝部１ｄにおいて、溝部１ｄの両側にそれぞれ設けられている一対の弾性変形可能な抜け止め部１ｈによりセパレータ２を係止させる。【選択図】図１
0003139031.tif 000002
【実用新案登録請求の範囲】
【請求項１】
一端部が型枠に固定されるセパレータの他端部を型枠工事用の連結具に取り付けるセパレータの取付構造であり、
前記連結具に一対の壁部が平行又は略平行に配設され、これらの壁部にはそれぞれ切欠き状の溝部が形成されており、前記セパレータの前記他端部には、その外周面に形成されている雄ねじに対して螺合可能なねじ穴を有する係止部材が取り付けられており、同係止部材が前記一対の壁部間に位置するようにして前記セパレータが前記各溝部に嵌め込まれ、前記係止部材が前記型枠に近い前記壁部で係止されるととともに、他方の前記壁部の前記溝部において、同溝部の両側にそれぞれ設けられている一対の弾性変形可能な抜け止め部により前記セパレータが係止されていることを特徴とするセパレータの取付構造。
【請求項２】
前記係止部材に、その外周面から前記ねじ穴に貫通する別のねじ穴が設けられ、同別のねじ穴に緩み止め用のねじが取り付けられていることを特徴とする請求項１記載のセパレータの取付構造。
【請求項３】
前記連結部は、前記一対の壁部が上端部と下端部とで連結されて筒状に形成されており、前記各溝部は前記壁部の上端から下方に向かって形成され、上部連結部には前記係止部材が通過可能で且つ前記各溝部と連続する貫通穴が設けられていることを特徴とする請求項１又は２記載のセパレータの取付構造。
【請求項４】
前記請求項１〜３のいずれかに記載のセパレータの取付構造を有し、別のセパレータの外周面に形成された雄ねじに対して螺合可能なねじ穴を有する接続部が設けられていることを特徴とする型枠工事用の連結具。
【請求項５】
前記請求項１〜３のいずれかに記載のセパレータの取付構造を有し、鉄筋を挟み込む一対の挟持部を備え、これらの挟持部の間隔を調節可能な調節ねじが、両方の前記挟持部間に跨るように配設されている鉄筋用取付部が設けられていることを特徴とする型枠工事用の連結具。
【請求項６】
前記請求項１〜３のいずれかに記載のセパレータの取付構造を有し、一面に複数本の釘が突出して設けられていることを特徴とする型枠工事用の連結具。
【考案の詳細な説明】
【技術分野】
【０００１】
本考案明は、一端部が型枠に固定されるセパレータの他端部を、鉄筋や別のセパレータ、また、前記型枠と直交する向きに配置されている別の型枠などに連結する型枠工事用の連結具に取り付けるセパレータの取付構造及び型枠工事用の連結具に関するものである。
【背景技術】
【０００２】
従来、コンクリートを打ち込み、建物の壁や床などを形成する型枠の間隔を保持するためのセパレータ（第１のセパレータ）を、その一端部を型枠に固定して、他端部を別のセパレータ（第２のセパレータ）や鉄筋、前記型枠と直交する方向に配置されている別の型枠に連結する場合に使用される連結具としては、それぞれ次のようなものが知られている。
【０００３】
即ち、第２のセパレータに連結する場合の連結具は、横長の断面形状を有し同断面に直交する方向に長さを有した形状を備え、長さ方向に二本のねじ穴を平行に貫通させたかたちになっている。この連結具は、片方のねじ穴に第２のセパレータの雄ねじを螺合させて取り付け、もう片方のねじ穴に第２のセパレータと反対の方向から第１のセパレータの雄ねじを螺合させて取り付ける（特許文献１参照）。
【０００４】
鉄筋に連結する場合の連結具は、鉄筋を挟持する略矩形の一対の挟持片を一辺で連結して断面略Ｕ字状に形成し、これらの挟持片の間隔を調節するための調節ボルトを、両挟持片に跨るようにして取り付けたもので、挟持片の連結部分の外側面には、内側が雌ねじになっている筒状の接続部が、その長さ方向を一対の挟持片と平行にして固定されている。この連結具は、接続部の雌ねじにセパレータの雄ねじを螺合させて取り付け、一対の挟持片で鉄筋を挟み込み、調節ねじを締め込んで固定する（特許文献２参照）。
【０００５】
型枠に連結する場合の連結具は、略角型のブロック状に形成されており、一側面から反対の面に貫通したねじ穴が設けられていて、底面に複数の釘が突出した状態で固定されている。この連結具は、セパレータの一端部が固定された型枠に対し、直交する方向に配置された型枠に釘を打ち込むようにして固定し、ねじ穴にセパレータの他端部の雄ねじを螺合させて取り付ける（特許文献３参照）。
【特許文献１】実用新案登録第３１２３９２５号公報（第２頁、第３、１２、１３図）
【特許文献２】特開２００３−１２００２９号公報（第２頁、第３、１２、１３図）
【特許文献３】特開２００４−２４５０２９号公報（第２頁、第３、１２、１３図）
【考案の開示】
【考案が解決しようとする課題】
【０００６】
しかしながら、上記各連結具は、セパレータを連結具に対して、端から順にねじ穴に嵌め込んで取り付ける必要があり、作業性が良いとは言えない。
【０００７】
そこで本考案は、セパレータを連結具に取り付けやすく、作業性の向上を図ることができるセパレータの取付構造及び型枠工事用の連結具の提供を目的としている。
【課題を解決するための手段】
【０００８】
上記の課題を解決するため請求項１に記載のセパレータの取付構造は、一端部が型枠に固定されるセパレータの他端部を型枠工事用の連結具に取り付けるセパレータの取付構造であり、前記連結具に一対の壁部を平行又は略平行に配設し、これらの壁部にはそれぞ
れ切欠き状の溝部を形成する。前記セパレータの前記他端部には、その外周面に形成されている雄ねじに対して螺合可能なねじ穴を有する係止部材を取り付ける。そして、同係止部材が前記一対の壁部間に位置するように前記セパレータを前記各溝部に嵌め込み、前記係止部材は前記型枠に近い前記壁部で係止させるとともに、他方の前記壁部の前記溝部において、同溝部の両側にそれぞれ設けられている一対の弾性変形可能な抜け止め部により前記セパレータを係止させることを特徴としている。
【０００９】
この請求項１記載のセパレータの取付構造によれば、前記セパレータの前記他端部に取り付けた前記係止部材を、前記型枠に近い前記壁部に係止させるだけで良いため、前記連結具に対して前記セパレータを端から嵌め込む必要がなく、前記セパレータを前記連結具に簡単に取り付けることができる。また、他方の前記壁部の前記溝部において、前記セパレータを一対の弾性変形可能な前記抜け止め部によって係止させるので、前記セパレータを前記溝部に嵌め込みやすく且つ前記セパレータが不用意に外れることがない。
【００１０】
請求項２記載のセパレータ取付構造は、係止部材に、その外周面からねじ穴に貫通する別のねじ穴を設け、同別のねじ穴に緩み止め用のねじを取り付けることを特徴としている。
【００１１】
この請求項２記載のセパレータの取付構造によれば、前記係止部材の緩みを防止することができるため、前記セパレータのがたつきを防ぐことができる。
【００１２】
請求項３記載のセパレータの取付構造は、連結具を、一対の壁部を上端部と下端部とで連結して筒状に形成し、前記各溝部を前記壁部の上端から下方に向かって形成して、上部連結部には前記係止部材が通過可能で且つ前記各溝部と連続する貫通穴を設けることを特徴としている。
【００１３】
この請求項３記載のセパレータの取付構造によれば、前記連結具の軽量化を図りつつ強度を持たせることができる。
【００１４】
請求項４記載のセパレータの型枠工事用の連結具は、請求項１〜３のいずれかに記載のセパレータの取付構造を具備させ、別のセパレータの外周面に形成された雄ねじに対して螺合可能なねじ穴を有する接続部を設けることを特徴としている。
【００１５】
この請求項４記載のセパレータの型枠工事用の連結具によれば、セパレータの長さが足りない場合、二本のセパレータを溶接することなく、しかも、簡単に連結して用いることができる。
【００１６】
請求項５記載のセパレータの型枠工事用の連結具は、請求項１〜３のいずれかに記載のセパレータの取付構造を具備させ、鉄筋を挟み込む一対の挟持部を設け、これらの挟持部の間隔を調節可能な調節ねじを、両方の前記挟持部間に跨るように配設した鉄筋用取付部を設けることを特徴としている。
【００１７】
この請求項５のセパレータの型枠工事用の連結具によれば、セパレータの一端部を前記鉄筋に連結する際、手間をかけずに簡単な作業で行うことができる。
【００１８】
請求項６記載のセパレータの型枠工事用の連結具は、請求項１〜３のいずれかに記載のセパレータの取付構造を具備させ、一面に複数本の釘を突出して設けることを特徴としている。
【００１９】
この請求項６のセパレータの型枠工事用の連結具は、一端部が型枠に固定されているセ
パレータの他端部を、前記型枠に対して直交する方向に配置されている型枠に連結する際、手間を要することなく簡単に作業を行うことができる。
【考案の効果】
【００２０】
請求項１のセパレータの取付構造によると、セパレータを型枠工事用の連結具に簡単に且つ確実に取り付けることができるため作業性が上がり、型枠工事の効率化を図ることができる。また、請求項２のセパレータの取付構造のように、係止部材に緩み止め用のねじを設けると、セパレータのがたつきを防止できるので、不具合の発生を抑えることができ、請求項３のセパレータの取付構造のようにすれば、連結具の軽量化と強度アップを図ることができるので、作業性を向上させることができる。
そして、請求項４〜６の型枠工事用の連結具によると、セパレータの長さが不足している場合の処置や、セパレータと鉄筋との連結及びセパレータと平行に配置されている型枠との連結が簡単に行えるので、型枠工事を効率良く行えるようになる。
【考案を実施するための最良の形態】
【００２１】
以下に、本考案にかかるセパレータの取付構造を備えた型枠工事用の連結具の実施形態について、図１〜４を参照しつつ説明する。
【００２２】
型枠工事用の連結具１（以下、単に連結具１ともいう）は、図１（ａ）〜（ｃ）に示すように、平行に配置した一対の壁部（第１壁部１ａと第２壁部１ｂ）を備えており、これらの第１壁部１ａと第２壁部１ｂとを、上端部と下端部とでそれぞれ連結した断面四角形の筒型形状を有している。この連結具は、一枚の小片鋼板を折り曲げ加工し、第２壁部１ｂにおいて小片鋼板がラップするような形に形成されている。したがって、第２壁部１ｂは内外２枚の鋼板で構成されている。
【００２３】
第１壁部１ａ及び第２壁部１ｂにはそれぞれ、上端から下方へ向かって切欠き状の溝部１ｃ，１ｄが相対する位置に同じ幅で形成されており、各溝部１ｃ，１ｄは上部連結部１ｅに形成されている貫通穴１ｆによって連続したかたちになっている。貫通穴１ｆは、第１壁部１ａ及び第２壁部１ｂと平行な方向を幅方向（矢印Ｘの方向）とすれば、幅方向と直交する方向に長く且つ溝部１ｃ，１ｄと同様の幅を有した長方形状に形成され、さらに、中間部の幅を広げて後述する係止部材３を通過させることができる挿入部１ｇが形成されている。
【００２４】
第２壁部１ｂは、溝部１ｄの上端部に弾性変形が可能な一対の抜け止め部１ｈが設けられている（図１（ｂ）及び（ｃ））。この抜け止め部１ｈは、外側の鋼板の上端部に、溝部１ｄの両側をそれぞれ内向きに突出させて設けた爪を外側に折り曲げることによって形成している。
【００２５】
このように構成されている連結具１は、図２（ａ），（ｂ）に示すように、セパレータ２の取り付けが簡単に行えるようになっている。即ち、セパレータ２の外周面に形成されている雄ねじ２ａに対して螺合可能なねじ穴３ａを有する係止部材３（例えば、ナットなど）を取り付け、係止部材３を上部連結部１ｅの挿入部１ｇを通過させるようにして、セパレータ２を第１壁部１ａ及び第２壁部１ｂの溝部１ｃ，１ｄにそれぞれ嵌め込む。なお、係止部材３には外周面からねじ穴３ａに貫通する別のねじ穴３ｂが設けられて、緩み止め用のねじ４が取りつけられている。セパレータ２を第２壁部１ｂの溝部１ｄに嵌め込む際、抜け止め部１ｈで引っ掛かるが、力を加えて押し込むと抜け止め部１ｈが弾性変形して溝部１ｄに嵌め込むことができ、溝部１ｄに嵌め込まれたセパレータ２は、抜け止め部１ｈで係止されて不用意に外れないようになる。
【００２６】
また、第１壁部１ａの溝部１ｃにセパレータ２を嵌め込んだのちに、係止部材３を微調整して第１壁部１ａに当接させ、緩み止め用のねじ４を締め込んで固定するとがたつきを防止でき、セパレータ２を連結具１にしっかりと保持させることができる。
【００２７】
したがって、従来のようにセパレータ２を連結具１のねじ穴に端から嵌め込んで取り付けなくてもよく、手間をかけずに簡単に取り付け作業を行うことができる。
【００２８】
なお、図示は省略するが、連結具１の形状を、第１壁部１ａと第１壁部１ｂとを下端部のみで連結して側面視Ｕ字型とすることもできる。そして、防錆対策としてメッキを施したり、樹脂をコーティングしたり、ステンレス等の耐食性の材料で形成したりする場合もある。また、必要な強度を満たしていれば、硬質樹脂等で形成して軽量化し、作業性の向上を図ることもできる。なお、後述する接続部５や鉄筋用取付部９についても同様である。
【００２９】
この連結具１に、別のセパレータを接続可能な接続部を設けることによって、型枠の幅に対してセパレータの長さが不足している場合、二本のセパレータを溶接することなく連結して用いることができる。つまり、図１及び２に示すように、連結具１の底面の幅方向中央部に、内側が別のセパレータ６（第２のセパレータ６）の雄ねじ６ａに対して螺合可能なねじ穴５ａになっている筒状の接続部５を、その長さ方向を連結具１の幅方向と直交する向きにして固定する。そして、連結具１にセパレータ２（第１のセパレータ２）を取り付け、且つ、接続部５に第２のセパレータ６を第１のセパレータ２とは反対の方向から接続して第１及び第２のセパレータ２，６を連結し、連結具１と反対に位置する第１及び第２のセパレータ２，６の端部をそれぞれ型枠７，８に固定して型枠７，８の間隔を保持させる。このように、型枠７，８の間隔に対してセパレータの長さが不足している場合、二本のセパレータを溶接して繋げたり、長いセパレータを別途調達するなどの手間が不要になり、短いセパレータで簡単に対処することができる。
【００３０】
また、連結具１に鉄筋用取付部を設けることによって、鉄筋を利用して型枠を固定する作業がし易くなる。即ち、図３（ａ），（ｂ）に示すように、鉄筋用取付部９は、略長方形状の薄板を長さ方向において半分に曲げ断面Ｕ字型の形状に形成し、両側の一対の挟持板９ａ，９ｂの間隔を調節する調節ねじ１０を、両方の挟持板９ａ，９ｂ間に跨るように配設したものである。この鉄筋用取付部９を、連結具１の底面の幅方向中央部に、一対の挟持板９ａ，９ｂが連結具１の幅方向と直交する向きになるようにして曲げ部９ｃで固着している。
【００３１】
そして、一端部を型枠７に固定したセパレータ２の他端部を連結具１に取り付けるとともに、鉄筋用取付部９を一対の挟持板９ａ，９ｂで鉄筋１１を挟み込んで調節ねじ１０を締め込めば、型枠７を鉄筋１１で固定することができる。
【００３２】
それから、連結具１に型枠に固定するための釘を設けることによって、セパレータの一端部が固定されている型枠に対して直交する方向に配置された別の型枠でセパレータの他端部を保持できるようになる。即ち、図４（ａ），（ｂ）に示すように、連結具１の底面の四隅にそれぞれ釘１２を突出させて配設する。そして、一端部を型枠７に固定したセパレータ２の他端部を連結具１に取り付けるとともに、連結具１を、型枠７に対して直交する方向に配置された別の型枠１３に釘１２を打ち付けるようにして固定すれば、型枠７を別の型枠１３で固定することができる。よって、スラブを形成する部分の型枠工事を簡単に行うことができる。
【００３３】
なお、釘１２を着脱式にすれば、型枠１３を解体する際に釘１２を同時に取り外すことができる。即ち、図５（ａ），（ｂ）に示す連結具１は、表面が樹脂でコーティングされ
、Ｘ方向両側の樹脂の厚みを厚くし底面に開口した凹部１５がそれぞれ形成され、各凹部１５には、一対の釘１２が底面から突出した状態で固定されている接続部１６が各々着脱可能に嵌め込まれている。そして、型枠１３をコンクリートから取り外せば、連結具１の凹部１５から接続部１６が外れ、釘１２は型枠１３にくっついて取り外される。
【図面の簡単な説明】
【００３４】
【図１】（ａ）本考案にかかる型枠工事用の連結具の実施形態を示す斜視図。（ｂ）図１（ａ）と反対の方向からの斜視図。（ｃ）図１（ａ）に示した連結具の平面図。
【図２】（ａ）図１の型枠工事用の連結具を用いて型枠を固定した状態を示す側面図。（ｂ）図２（ａ）におけるＡ−Ａ矢視方向の断面図。
【図３】（ａ）本考案にかかる型枠工事用の連結具の別の実施形態を示す斜視図。（ｂ）図３（ａ）の型枠工事用の連結具を用いて型枠を固定した状態を示す側面図。
【図４】（ａ）本考案にかかる型枠工事用の連結具のまた別の実施形態を示す斜視図。（ｂ）図４（ａ）の型枠工事用の連結具を用いて型枠を固定した状態を示す側面図。
【図５】（ａ）図４（ａ）に示した型枠工事用の連結具の変形例を示す斜視図。（ｂ）図５（ａ）の型枠工事用の連結具から接続部を取り外した状態を示す斜視図。
【符号の説明】
【００３５】
１              型枠工事用の連結具
１ａ，１ｂ      壁部（第１壁部１ａ，第２壁部１ｂ）
１ｃ，１ｄ      溝部
１ｈ            抜け止め部
２，６          セパレータ
２ａ，６ａ      雄ねじ
３              係止部材
３ａ            ねじ穴
７，８，１３    型枠
【図１】
0003139031.tif 000003
【図２】
0003139031.tif 000004
【図３】
0003139031.tif 000005
【図４】
0003139031.tif 000006
【図５】
0003139031.tif 000007